(57)【要約】      （修正有）【課題】テンプルフレームの耳に掛かる部分であるチップ部の角度を調整でき、掛け心地の良い新規な眼鏡を提供する。【解決手段】左右一対のレンズが装着されるレンズフレーム３と前記レンズフレームの右側部を支持する右側テンプルフレーム５ａと、前記レンズフレームの左側部を支持する左側テンプルフレーム５ｂとを有し、前記テンプルフレームは、レンズフレーム側に位置するテンプルフレーム本体部５１と、前記テンプルフレーム本体部に連結する耳に掛かるチップ部５２とを有し、前記チップ部は、上下方向に角度を調整できるように前記テンプルフレーム本体部に連結されていることを特徴とする。【選択図】図１
0003232746.tif 000002
【実用新案登録請求の範囲】
【請求項１】
左右一対のレンズが装着されるレンズフレームと
前記レンズフレームの右側部を支持する右側テンプルフレームと、
前記レンズフレームの左側部を支持する左側テンプルフレームとを有し、
前記テンプルフレームは、レンズフレーム側に位置するテンプルフレーム本体部と、前記テンプルフレーム本体部に連結する耳に掛かるチップ部とを有し、
前記チップ部は、上下方向に角度を調整できるように前記テンプルフレーム本体部に連結されていること特徴とする眼鏡。
【請求項２】
テンプルフレーム本体部の後端は、上面と上面の横方向両端から下方に延出する一対の側面と、前記上面と一対の側面によって囲まれる開口された空間とを有する把持部を有し、前記チップ部の先端部は、前記把持部の開口された空間に挿入可能な平板状の挿入部を有し、前記把持部の一対の側面が、前記挿入部を挟持する請求項１に記載の眼鏡。
【請求項３】
前記眼鏡は、軸部と前記軸部の一方の端部に設けられた頭部を有する雄部材と、前記軸の他方の端部に結合する雌部材とを有する連結部材を有し、前記チップ部の挿入部の側面面に設けられた挿通孔と、前記テンプルフレーム本体部の把持部の一対の側面に設けられた挿通孔とを、連結部材の軸部が挿通することにより、前記テンプルフレーム本体部と前記チップ部とが連結されている請求項２に記載の眼鏡。
【請求項４】
側面視において、前記チップ部の先端には、挿入部に設けられた挿通孔の中心を軸とする多角形状の面が設けられており、前記多角形状の面は、チップ部の挿入部に設けられた挿通孔の中心を軸として回動可能なように形成されており、前記多角形状の一面と、前記把持部の後端面とが接することにより、前記チップ部の角度が制御される請求項３に記載の眼鏡。
【請求項５】
前記把持部の一対の側面は、上側から下側に向って、間隔が狭くなる請求項２〜４のいずれか一項に記載の眼鏡。
【考案の詳細な説明】
【技術分野】
【０００１】
本考案は、テンプルの角度調整機能付き眼鏡に関するものである。
【背景技術】
【０００２】
眼鏡は、装着者の顔や頭部の形に合ったフレームを有することが好ましい。フレームが顔や頭の形に合っていない場合には、眼鏡がずれやすく、いちいち掛けなおすことになり面倒である。特に、運動するときには、眼鏡が落下して壊れる場合もある。また、眼鏡フレームが、顔や頭の形に合っていない場合には、眼鏡フレームが接する鼻や耳が痛くなることがある。
【０００３】
眼鏡フレームを顔や頭部の形に合わせる技術として、例えば、特許文献１、２には、眼鏡のテンプルフレームの角度を調整する技術が提案されている。
【０００４】
特許文献１には、よろいがレンズ側部品とテンプル側部品とに分割され、両者はメガネ正面から見て左右方向の軸部材と孔とからなる嵌合対を備え、軸部材と孔との互いに嵌合する円弧面に細かいピッチの噛合歯を備えていることを特徴とする、メガネ枠のテンプル角度の調整機構が開示されている。
【０００５】
特許文献２には、装用者の視力を矯正し又は網膜を保護するためのレンズが装着可能なフロント枠と、このフロント枠の両側部から後方へ持出して配設され、当該装用者の左右側頭部を挟着することによってフロント枠を装用者の眼前位置に保持する一対のテンプルとを少なくとも備えて構成される眼鏡フレームにおいて、前記テンプルの各々は、サイドバーと、このサイドバーの持出端部に連結されて装用者の耳付根部周囲付近に掛合し左右両側から側頭部をグリップするモダンとから成り、かつ、前記サイドバーの持出端部とモダンとのカプリング部においては、持出端部とモダンの受口とを角度調節できるように相互の嵌合形状を成形して、装用者の耳付根部周囲付近の側頭部傾斜に合わせて調整可能にしたことを特徴とする眼鏡フレームにおけるモダン角度調整機構が開示されている。
【先行技術文献】
【特許文献】
【０００６】
【特許文献１】特開平８―５０２６５号公報
【特許文献２】特開２００８−０５１８４２号公報
【考案の概要】
【考案が解決しようとする課題】
【０００７】
本考案は、上記事情に鑑みてなされたものであり、テンプルフレームの耳に掛かる部分であるチップ部の角度を調整できる新規な眼鏡を提供することを課題とする。
【課題を解決するための手段】
【０００８】
本考案の眼鏡は、左右一対のレンズが装着されるレンズフレームと
前記レンズフレームの右側部を支持する右側テンプルフレームと、
前記レンズフレームの左側部を支持する左側テンプルフレームとを有し、
前記テンプルフレームは、レンズフレーム側に位置するテンプルフレーム本体部と、前記テンプルフレーム本体部に連結する耳に掛かるチップ部とを有し、
前記チップ部は、上下方向に角度を調整できるように前記テンプルフレーム本体部に連結されていること特徴とする。
【考案の効果】
【０００９】
本考案によれば、テンプルチップの角度を調整でき、掛け心地のよい新規な眼鏡を提供することができる。
【図面の簡単な説明】
【００１０】
【図１】本考案の眼鏡の一例の斜視図。
【図２】本考案の眼鏡の一例の側面図。
【図３】チップ部の角度調整態様を説明する説明図。
【図４】テンプルフレーム本体部の把持部を説明する説明図。
【図５】チップ部の先端部を説明する説明図。
【図６】テンプルフレーム本体部とチップ部との連結部材を説明する説明図。
【図７】テンプルフレーム本体部とチップ部との連結部材を説明する説明図。
【図８】テンプルフレーム本体部とチップ部との連結態様を説明する説明図。
【図９】テンプルフレーム本体部とチップ部との連結態様を説明する説明図。
【考案を実施するための形態】
【００１１】
本考案の眼鏡は、左右一対のレンズが装着されるレンズフレームと
前記レンズフレームの右側部を支持する右側テンプルフレームと、
前記レンズフレームの左側部を支持する左側テンプルフレームとを有し、
前記テンプルフレームは、レンズフレーム側に位置するテンプルフレーム本体部と、前記テンプルフレーム本体部に連結する耳に掛かるチップ部とを有し、
前記チップ部は、上下方向に角度を調整できるように前記テンプルフレーム本体部に連結されていること特徴とする。
【００１２】
本考案の眼鏡において、レンズ側を前方とし、耳側を後方とする。眼鏡をかけたときに、鼻に接する側を下方とし、その反対を上方とする。眼鏡の前後方向および上下方向と垂直に交わる方向を横方向（左右方向）とする。また眼鏡をかけたときに右耳側を右側とし、左耳側を左側とする。また、眼鏡をかけたときに、頭や顔に面する側を内側とし、その反対を外側とする。
【００１３】
テンプルフレームは、レンズフレームに直接または間接的に結合して、レンズフレームを支持する。テンプルフレームが、レンズフレームに間接的に結合する場合は、テンプルフレームは、眼鏡の智に接続することが好ましい。眼鏡の智は、レンズフレームの左右の端部から、後方に向かって延設されている部分であり、レンズフレームと、テンプルフレームとの間に位置する部分である。レンズフレームと智は一体的に成形されていることが好ましい。智は、ヨロイとも言われる。
【００１４】
テンプルフレームは、例えば、蝶番により左右方向に開閉可能なようにレンズフレームに直接または間接的に結合していることが好ましい。
【００１５】
テンプルフレームは、レンズフレーム側に位置するテンプルフレーム本体部と、前記テンプルフレーム本体部に連結する耳に掛かるチップ部とを有する。チップ部とは、モダンと称されることがある。本考案では、前記チップ部が、上下方向に角度を調整できるように前記テンプルフレーム本体部に連結されている。
【００１６】
前記チップ部は、上下方向に約０°〜９０°の範囲で角度を調整できるようにされていることが好ましい。前記チップ部の角度は、連続的に調整できるようにされてもよいし、段階的に調整できるようにされてもよい。本考案では、チップ部の角度は、段階的に調整できるようにされていることが好ましい。
【００１７】
テンプルフレーム本体部の後端は、上面と上面の横方向両端から下方に延出する一対の側面とを有する把持部を有する。前記把持部は、前記上面と一対の側面によって囲まれる開口された空間を有する。すなわち、把持部は、後方および下方が開口されている。前記把持部の一対の側面には、側面を貫通する挿通孔が設けられていることが好ましい。側面視における挿通孔の開口の形状は特に限定されないが、円形であることが好ましい。すなわち、挿通孔は、開口が設けられた円筒状の形状を有することが好ましい。
【００１８】
また、前記把持部の一対の側面の外側には、テンプルフレーム本体部とチップ部とを連結する連結部材を収容するための収容部が設けられていることが好ましい。収容部は、例えば、円形の底面と、底面の円周から起立する円周壁とを有する開口された空間である。前記収容部の底面に、連結部材を挿通するための挿通孔の開口が設けられている。円筒状の挿通孔の開口と収容部の円形底面とは、同芯円状であることが好ましい。
【００１９】
前記把持部の一対の側面は、上側から下側に向って間隔が狭くなるように構成されていることが好ましい。
【００２０】
（チップ部）
前記チップ部の先端部は、前記把持部の開口された空間に挿入可能な平板状の挿入部を有する。前記チップ部の挿入部は、前記把持部の一対の側面により挟持されることが好ましい。
【００２１】
前記チップ部の挿入部の側面には、左右の側面を貫通する挿通孔が設けられていることが好ましい。チップ部の挿入部の挿通孔の開口の形状は、特に限定されないが、円形状であることが好ましい。すなわち、チップ部の挿入部に設けられる挿通孔は、開口が設けられた円筒状の形状であることが好ましい。
【００２２】
チップ部の先端には、側面視において多角形状の面が形成されていることが好ましい。多角形状の面は、眼鏡の前後方向および／または上下方向に対向するように形成されることが好ましい。前記多角形は、挿入部に設けられた挿通孔の中心を軸とする多角形であることが好ましい。多角形状の面は、チップ部の先端の上方から下方に亘って、おおよそ半円状に複数設けられていることが好ましい。前記チップ部の先端に設けられた多角形状の面は、挿入部の挿通孔の中心を軸として、回動可能なように形成されていることが好ましい。
【００２３】
チップ部の先端部は、弾性材料あるいか滑動しやすい材料から構成されていることが好ましい。チップ部の先端部の材料としては、ポリカーボネイト、ＴＲ90、アセテート、熱可塑性エラストマーなどが挙げられる。
【００２４】
前記テンプルフレーム本体部とチップ部とは、連結部材によって連結されていることが好ましい。前記連結部材としては、前記チップ部を上下方向に角度を調整できるように、前記テンプルフレーム本体部とチップ部とを連結できるものであれば、特に限定されない。前記連結部材としては、例えば、前記チップ部の挿入部に設けられた挿通孔と、把持部の側面に設けられた挿通孔に、軸状の連結部材を挿通させて、テンプルフレーム本体部とチップ部とを連結するものを挙げることができる。
【００２５】
前記連結部材としては、例えば、軸部と前記軸部の一方の端部に設けられた頭部を有する雄部材と、前記軸部の他方の端部に結合する雌部材とを有する連結部材を挙げることができる。前記軸部の他方の端部と雌部材との結合態様は、特に限定されず、螺合、係合、係止、あるいは、勘合などの態様を挙げることができる。本発明の好ましい連結部材としては、軸部と前記軸部の一方の端部に設けられた頭部を有する雄部材と、前記軸部の他方の端部と、螺合、係合または嵌合する雌部材とを有する連結部材が好ましい。前記雄部材において、前記頭部の径は、軸部の径よりも大きく、頭部は、軸部の外側に延出する。軸部は、例えば、円柱状であることが好ましい。頭部の形状としては、三角形、四角形、五角形、六角形などの多角形の盤状、または、円盤状を挙げることができる。雌部材の形状は、特に限定されないが、雄部材の頭部と同様の形状であることが好ましい。
【００２６】
前記連結部材の具体例としては、例えば、ボルトとナットを挙げることができる。前記ボルトは、軸部と前記軸部の一方の端部に設けられた頭部を有する。ボルトの軸部には、雄ネジが切られており、ナットの内側には前記雄ネジに螺合する雌ネジが切られている。テンプルフレーム本体部およびチップ部の貫通孔にボルトの軸部を挿通させて、ナットを締めることにより、テンプルフレーム本体部とチップ部とを連結することができる。
【００２７】
前記チップ部先端の多角形状の一面が、テンプルフレーム本体部の把持部の後端面と接触することにより、テンプルフレーム本体部に対するチップ部の角度が固定される。眼鏡の着用者は、チップ部の挿通孔とテンプルフレーム本体部の挿通孔を挿通する連結部材の軸部を中心として、チップ部を回動させることができる。着用者が、チップ部を回動させる力を付加した場合、チップ部の挿入部の先端が弾性変形あるいは滑動して、把持部の後端面に接している多角形状の一面が、連結部材の軸部を中心として回動する。回動することにより、多角形状の新たな一面が、把持部の後端面と接して、テンプルフレーム本体部に対するチップ部の角度が変化して固定される。
【００２８】
本考案の眼鏡のレンズフレームは、特に限定されないが、レンズ全体をフレームで囲むフルリム、レンズの上方部分のみを囲むハーフリム、レンズの下方部分のみを囲むアンダーリム、ブリッジの部分と、テンプルと接する部分の２点だけが囲まれているツーポイントリムなどが挙げられる
【００２９】
本考案の眼鏡のレンズは、特に限定されない。例えば、遠視用レンズ、近視用レンズ、遠近両用レンズ、カラーレンズ、ブルーライトをカットするレンズ、紫外線をカットするレンズなどを挙げることができる。
【００３０】
以下、図面を参照しながら、本考案を説明するが、本考案は図面に示した態様に限定されない。図１は、本考案の眼鏡の一例の斜視図である。図２は、本考案の眼鏡の一例の側面図である。図３は、チップ部の拡大図である。
【００３１】
本考案の眼鏡１は、左右一対のレンズが装着されるレンズフレーム３と前記レンズフレームの右側部を支持する右側テンプルフレーム５ａと、前記レンズフレーム３の左側部を支持する左側テンプルフレーム５ｂとを有し、前記テンプルフレーム５ａ，５ｂは、レンズフレーム側に位置するテンプルフレーム本体部５１と、前記テンプルフレーム本体部に連結する耳に掛かるチップ部５２とを有する。前記チップ部５２は、上下方向に角度を調整できるように前記テンプルフレーム本体部５１に連結されている。
【００３２】
図３に示すように、チップ部５２は、約０°〜９０°の範囲で上下方向に回動するように構成されていることが好ましく、約０°〜６０°の範囲で上下方向に回動するように構成されていることが好ましく、約０°〜４５°の範囲で上下方向に回動するように構成されていることが好ましい。なお、０°は、チップ部が、最も上側に位置する状態の角度である。
【００３３】
図４は、テンプルフレーム本体部５１の後端を示す説明図である。テンプルフレーム本体部５１の後端には、把持部７が設けられている。把持部７は、テンプルフレーム本体部５１の後端を加工することにより形成されていることが好ましい。把持部７は、上面７１と上面７１の横方向両端から下方に延出する一対の側面７２ａ，７２ｂとを有する。前記把持部７は、前記上面７１と一対の側面７２ａ，７２ｂによって囲まれる開口された空間７３を有する。すなわち、把持部７の空間７３は、後方および下方が開口されている。
【００３４】
前記把持部７の一対の側面７２ａ，７２ｂには、前記チップ部５２と連結する連結部材を挿通するための挿通孔７４と、連結部材を収容するための収容部７５が設けられていることが好ましい。挿通孔７４は、円筒状である
【００３５】
前記収容部７５は、円形の底面と、底面の円周から起立する円周壁を有する開口された空間である。収容部７５の円形底面には、前記挿通孔７４の円形の開口が設けられている。収容部７５の円形底面と、挿通孔７４の円形開口とは、同心円になるように設けられている。収容部７５の円形底面の直径は、連結部材の頭部および雌部材が収容することができる大きさである。一方、挿通孔７４の開口の直径は、収容部７５の円形底面の直径より小さく、連結部材の頭部および雌部材が、挿通孔７４を挿通できないようにされている。
【００３６】
テンプルフレーム本体部とチップ部とを連結する連結部材として、例えば、ボルトとナットを用いた場合、雄部材であるボルトの頭部とナット（雌部材）とが収容部に収容される。
【００３７】
前記把持部７の一対の側面７２ａ，７２ｂは、上側から下側に向って間隔が狭くなるように構成されていることが好ましい。すなわち、一対の側面の上側の間隔Ｔ１は、下側の間隔Ｔ２よりも大きくなるように設計されている。側面７２ａ，７２ｂの間隔が下側に向って間隔が狭くなるように構成されることにより、チップ部５２の挿入部９を下方に回動させたときに、把持部７がチップ部５２の挿入部９を締め付ける力が大きくなり、チップ部５２を固定しやすくなる。
【００３８】
前記上側の間隔Ｔ１は、例えば、１ｍｍ〜２０ｍｍが好ましく、下側の間隔Ｔ２は、２ｍｍ〜１９ｍｍが好ましい。
【００３９】
図５は、チップ部５２の先端部９を説明する説明図である。前記チップ部５２の先端部９は、前記把持部７の一対の側面７２，７２に挿入可能な平板状の挿入部９１を有する。挿入部９１の横方向の厚みは、チップ部５２の横方向の厚みより薄く、挿入部９１は、把持部７に挿入可能である。一方、チップ部５２は、把持部７には挿入することができない厚みを有する。
【００４０】
挿入部９１は、チップ部５２の本体の先端面５４から前方に向かって延出する。前記チップ部５２の挿入部９１は、前記把持部７の一対の側面７２ａ，７２ｂにより挟持される。挿入部９の横方向の厚さは、把持部７の一対の側面７２の間隔と同一か、あるいは、側面７２の間隔よりもやや狭いことが好ましい。
【００４１】
前記チップ部５２は、挿入部９１の側面を貫通する挿通孔９２を有する。挿入部９１における挿通孔９２の位置は、挿入部９１を把持部７に挿入したときに、把持部７の側面７２に設けられた挿通孔７４と重なるように設けられることが好ましい。連結部材の軸部が、把持部７の側面７２に設けられた挿通孔７４と、挿入部９１の側面に設けられた挿通孔９２に挿通されることにより、テンプルフレーム本体部５１とチップ部５２とが確実に連結される。
【００４２】
前記挿通孔９２の開口は、挿入部９１の側面よりも内側に設けられている。挿通孔９２の開口と側面との間には、傾斜部９３が設けられている。前記傾斜部９３は、挿通孔９２の周囲に設けられた環状の形状である。前記傾斜部９３は、挿入部９１の側面から挿通孔９２の開口との段差を補うように、挿入部９１の側面に対して傾斜して設けられている。
【００４３】
チップ部５２の先端には、側面視において、挿入部９１の側面に設けられた挿通孔９２の中心を中心とする多角形状の面９４が複数形成されている。多角形状の面９４は、眼鏡の前後方向および／または上下方向に対向し、チップ部の先端の上方から下方に亘って、おおよそ半円状に複数設けられている。前記チップ部５２の先端に設けられた多角形状の面９４は、挿入部９１の挿通孔９２の中心（あるいは連結部材の軸部の中心）を軸として、回動可能なように形成されている。
【００４４】
図６、図７は、テンプルフレーム本体部５１と、チップ部５２とを連結する連結部材８の一例を説明する説明図である。連結部材８は、軸部８１と前記軸部８１の一方の端部８１aに設けられた頭部８２を有する雄部材８３と、前記軸部８１の他方の端部８１ｂに結合する雌部材８４とを有する。図６，７中、（ａ）は、雄部材８３と雌部材８４とが結合された状態を示す。（ｂ）は、雄部材８３と雌部材８４が結合されていない状態を示す。雌部材８４には、軸部８１の端部８１ｂに結合する開口部８５が設けられている。雌部材８４と軸部８１の端部８１ｂとの結合態様は、特に限定されず、係止、係合、螺合、あるいは、勘合などの態様を挙げることができる。雄部材８３と雌部材８４は、着脱可能なようにしてもよい。
【００４５】
連結部材８の具体例としては、ボルト（８３）とナット（８４）を挙げることができる。
【００４６】
図６は、頭部８２および雌部材８４の形状が円盤状の態様であり、図７は、頭部８２および雌部材８４の形状が三角柱状である。軸部８１は、円柱状である。前記雄部材８３において、前記頭部８２の外径は、軸部８１の外径よりも大きく、頭部８２は、軸部８１の外側に延出している。
【００４７】
図６および図７において、頭部８２の形状としては、円盤状および三角柱状を示したが、頭部の形状は、これらの形状に限定されず、例えば、多角形の盤状であってもよい。
【００４８】
図８は、テンプルフレーム本体部５１とチップ部５２とを上下方向に角度を調整できるように連結した状態を説明する説明図である。図８では理解を容易にするために、テンプルフレーム本体部５１とチップ部５２のみを図示し、連結部材８は図示していない。
【００４９】
図９は、テンプルフレーム本体部５１とチップ部５２とを上下方向に角度を調整できるように連結した状態を説明する説明図である。図９では、把持部７に挿入されたチップ部５２の挿入部９１は図示されていない。
【００５０】
テンプルフレーム本体部５１の把持部７と、チップ部５２とに設けられた挿通孔７４，９２に、連結部材８の軸部８１を挿通させることにより、テンプルフレーム本体部５１とチップ部５２とが連結されている。連結部材８の頭部８２および雌部材８４は、テンプルフレーム本体部５１に設けられた収容部７５に収容されている。
【００５１】
図８を参照すると、前記チップ部５２の先端の多角形状の一面９４が、把持部７の後端面７６と接することにより、テンプルフレーム本体部５１に対するチップ部５２の角度が固定されている。眼鏡の着用者は、挿通孔７４，９２に挿通された連結部材８の軸８１の中心（あるいは挿通孔９２の中心）を軸として、チップ部５２を回動させることができる。着用者が、チップ部５２を回動させる力を付加した場合、チップ部５２の挿入部９の先端が弾性変形あるいは滑動して、把持部７の後端面７６に接している多角形状の一面９４が回動する。回動することにより、多角形状の新たな一面９４が、把持部７の後端面７６と接して、テンプルフレーム本体部５１に対するチップ部５２の角度が変化して固定される。
【００５２】
図８および図９では、前記チップ部５２の先端の多角形状の面９４が、４面形成されている。この多角形状の面９４の数を増やすことにより、チップ部５２の角度調整の段階数を増やすことができ、小刻みの角度調整が可能になる。このような観点から、多角形状の面の数は、３以上〜１０以下が好ましく、３以上、８以下がより好ましい。
【００５３】
また、チップ部５２を回動しやすくするために、側面７２の後端縁７８と、チップ部５２本体の先端面５４との間には隙間が設けられていることが好ましい。
【産業上の利用可能性】
【００５４】
本発明は、テンプルフレーム角度調整機能付き眼鏡として有用である。
【符号の説明】
【００５５】
１：眼鏡、３：レンズフレーム、５：テンプルフレーム、７：把持部、９：先端部、５１：テンプルフレーム本体部、５２：チップ部
【図１】
0003232746.tif 000003
【図２】
0003232746.tif 000004
【図３】
0003232746.tif 000005
【図４】
0003232746.tif 000006
【図５】
0003232746.tif 000007
【図６】
0003232746.tif 000008
【図７】
0003232746.tif 000009
【図８】
0003232746.tif 000010
【図９】
0003232746.tif 000011